(57)【要約】      （修正有）【課題】防鳥用の黒色線材を簡単でかつ非常に効率よく果樹園等に張設することができ、カラスなどの害鳥の侵入を確実に防ぐことができる害鳥防止線材の配設構造を提供する。【解決手段】果樹等の上部に突出させ、所定間隔で果樹園全体に設置した複数の棒状体２１と、棒状体の上端に取り付けた、上端にＵ字溝１２を備えるとともにキャップ１３を取り付けた装着具１１を介して、各棒状体上に張り巡らせた黒色線材２２を備え、黒色線材によって害鳥を寄せ付けないようにした。【選択図】図４
0003229143.tif 000002
【実用新案登録請求の範囲】
【請求項１】
果樹等の上部に突出させ、所定間隔で果樹園全体に設置した複数の棒状体と、
前記棒状体の上端に取り付けた、上端にＵ字溝を備えるとともにキャップを取り付けた装着具を介して、前記各棒状体上に張り巡らせた黒色線材を備え、
前記黒色線材によって害鳥を寄せ付けないようにしたことを特徴とする害鳥防止線材の配設構造。
【請求項２】
前記棒状体の上端に取り付けた、上端にＵ字溝を備えるとともにキャップを取り付けた装着具は、前記各棒状体上に張り巡らせた黒色線材を当初緩く保持しており、最終的にきっちり固定することができるようにしたことを特徴とする請求項１に記載の害鳥防止線材の配設構造。
【請求項３】
前記各棒状体上に張り巡らせた黒色線材は、黒色ナイロンテグスもしくは線径がそれに準ずる金属製線材からなることを特徴とする請求項１または２に記載の害鳥防止線材の配設構造。
【請求項４】
小型無人航空機（小型ＵＡＶ）のフレームに黒色線材の巻取りロール取付部材を取り付け、該巻取りロール取付部材に黒色線材の巻取りロールを装着した上、前記小型無人航空機（小型ＵＡＶ）のフレームの適所に黒色線材を下向きにガイドする黒色線材ガイド部材を取り付け、
果樹等の上部に突出させた状態で、所定間隔で果樹園全体に設置した棒状体上端に取り付けた装着具に、前記黒色線材を下向きにガイドする筒状黒色線材ガイド部材から黒色線材を引き出して取り付けながら前記小型無人航空機（小型ＵＡＶ）を移動させることにより、前記棒状体の上端に取り付けた装着具を介して各棒状体上に黒色線材を張り巡らせ、
前記黒色線材によって害鳥を寄せ付けないようにしたことを特徴とする害鳥防止線材の配設構造。
【請求項５】
前記黒色線材の巻取りロール取付部材が、小型無人航空機（小型ＵＡＶ）の所定間隔のフレームにそれぞれ取り付けられる取付部を上下逆Ｌ字状の基部に形成され、前記上下逆Ｌ字状の上部先端には太さの異なる筒状体を備えていて、前記巻取りロール取付部材の両側から互いにはめ込むことにより、前記巻取りロール取付部材に黒色線材の巻取りロールを装着したことを特徴とする請求項４に記載の害鳥防止線材の配設構造。
【請求項６】
前記黒色線材の巻取りロール取付部材が、前記上下逆Ｌ字状の屈曲部にその両端部に差し渡す補強アームを取り付けたことを特徴とする請求項４または５に記載の害鳥防止線材の配設構造。
【請求項７】
前記小型無人航空機（小型ＵＡＶ）のフレームの適所に黒色線材を下向きにガイドする筒状黒色線材ガイド部材が、小型無人航空機（小型ＵＡＶ）の所定間隔のフレームにそれぞれ取り付けられる取付部を前記Ｔ字状のアーム部の両側端部に形成され、かつ前記Ｔ字状のアーム部の筒状の側面に黒色線材を挿入する挿通孔が形成されていて、前記巻取りロール取付部材に装着した黒色線材の巻取りロールから引き出した黒色線材を、前記挿通孔から挿通し、筒状黒色線材ガイド部材の筒状下端から下向きに引き出すようにしたことを特徴とする請求項４ないし６のいずれかに記載の害鳥防止線材の配設構造。
【考案の詳細な説明】
【技術分野】
【０００１】
本考案は、烏や雀などの害鳥を追い払うために防護を必要とする区域に張り渡される害鳥防止線材の張設構造に関するものである。
【背景技術】
【０００２】
従来、果樹園などでは、烏などの害鳥から農作物を守るための手段として、竹や木の棒或いはスチールパイプなどの支柱を利用して、金色や銀色のテープ状フィルムを農作物の周囲に張り渡し、こうして張られたテープ状フィルムが風に揺らいで光を反射する作用によって害鳥を威嚇し、退散させるという方法が採られている。
【０００３】
しかし、このようなテープ状フィルムを用いて害鳥を追い払おうとしても、反射性が単調で風に対する挙動も変化に乏しいので、狡賢い烏などはすぐに慣れてしまい、平気で侵入して農作物を食い荒らすようになってしまうという弱点があった。
【０００４】
そこで近年、狡賢い烏などでも見えにくく、防鳥効果に優れた害鳥防止線材、例えば白色あるいは黒色の防鳥用テグスが使用されてきており、カラスなどの侵入を防止して農作物を食い荒らすことを予防するという例が生態的見地からも有効とされてきている。
【先行技術文献】
【特許文献】
【０００５】
【特許文献１】実用新案登録第３０６０７４２号公報
【考案の概要】
【考案が解決しようとする課題】
【０００６】
本考案は、従来の防鳥用の黒色線材を簡単でかつ非常に効率よく果樹園等に張設することができ、カラスなどの害鳥の侵入を確実に防ぐことができる害鳥防止線材の配設構造を提供することを目的とするものである。
【課題を解決するための手段】
【０００７】
すなわちこの考案の害鳥防止線材の配設構造は、果樹等の上部に突出させ、所定間隔で果樹園全体に設置した複数の棒状体と、
前記棒状体の上端に取り付けた、上端にＵ字溝を備えるとともにキャップを取り付けた装着具を介して、前記各棒状体上に張り巡らせた黒色線材を備え、
前記黒色線材によって害鳥を寄せ付けないようにしたことを特徴とするものである。
【０００８】
またこの考案の害鳥防止線材の配設構造において、前記棒状体の上端に取り付けた、上端にＵ字溝を備えるとともにキャップを取り付けた装着具は、前記各棒状体上に張り巡らせた黒色線材を当初緩く保持しており、最終的にきっちり固定することができるようにしたことをも特徴とするものである。
【０００９】
この考案の害鳥防止線材の配設構造において、前記各棒状体上に張り巡らせた黒色線材は、黒色ナイロンテグスもしくは線径がそれに準ずる金属製線材からなることをも特徴とするものである。
【００１０】
この考案の害鳥防止線材の配設構造において、小型無人航空機（小型ＵＡＶ、通称ドローン）のフレームに黒色線材の巻取りロール取付部材を取り付け、該巻取りロール取付部材に黒色線材の巻取りロールを装着した上、前記小型無人航空機（小型ＵＡＶ）のフレームの適所に黒色線材を下向きにガイドする黒色線材ガイド部材を取り付け、
果樹等の上部に突出させた状態で、所定間隔で果樹園全体に設置した前記棒状体上端に取り付けた装着具に、前記黒色線材を下向きにガイドする筒状の黒色線材ガイド部材から黒色線材を引き出して取り付けながら前記小型無人航空機（小型ＵＡＶ）を移動させることにより、前記棒状体の上端に取り付けた装着具を介して各棒状体上に黒色線材を張り巡らせ、
前記黒色線材によって害鳥を寄せ付けないようにしたことをも特徴とするものである。
【００１１】
この考案の害鳥防止線材の配設構造において、前記黒色線材の巻取りロール取付部材が、小型無人航空機（小型ＵＡＶ）の所定間隔のフレームにそれぞれ取り付けられる取付部を上下逆Ｌ字状の基部に形成され、前記上下逆Ｌ字状の上部先端には太さの異なる筒状体を備えていて、前記巻取りロール取付部材の両側から互いにはめ込むことにより、前記巻取りロール取付部材に黒色線材の巻取りロールを装着したことをも特徴とするものである。
【００１２】
この考案の害鳥防止線材の配設構造において、前記黒色線材の巻取りロール取付部材が、前記上下逆Ｌ字状の屈曲部にその両端部に差し渡す補強アームを取り付けたことをも特徴とするものである。
【００１３】
この考案の害鳥防止線材の配設構造において、前記小型無人航空機（小型ＵＡＶ）のフレームの適所に黒色線材を下向きにガイドする筒状の黒色線材ガイド部材が、小型無人航空機（小型ＵＡＶ）の所定間隔のフレームにそれぞれ取り付けられる取付部を前記Ｔ字状のアーム部の両側端部に形成され、かつ前記Ｔ字状のアーム部の筒状の側面に黒色線材を挿入する挿通孔が形成されていて、前記巻取りロール取付部材に装着した黒色線材の巻取りロールから引き出した黒色線材を、前記挿通孔から挿通し、筒状の黒色線材ガイド部材の筒状下端から下向きに引き出すようにしたことをも特徴とするものである。
【考案の効果】
【００１４】
すなわち、請求項１ないし３の考案は、所定間隔で果樹園全体に設置した複数の棒状体と、前記棒状体の上端に取り付けた、上端にＵ字溝を備えるとともにキャップを取り付けた装着具を介して、前記各棒状体上に張り巡らせた黒色線材を備え、前記黒色線材によって害鳥を寄せ付けないようにしたものであり、また、上端にＵ字溝を備えるとともにキャップを取り付けた装着具は、前記各棒状体上に張り巡らせた黒色線材を当初緩く保持しており、最終的にきっちり固定することができるものであり、さらに前記各棒状体上に張り巡らせた黒色線材は、黒色ナイロンテグスもしくは線径がそれに準ずる金属製線材からなるものである。
したがって、果樹園全体に非常に効率よく黒色線材を張り巡らせることができ、しかも長期間にわたって害鳥を寄せ付けなくすることができる。
【００１５】
また、請求項４ないし７の考案は、小型無人航空機（小型ＵＡＶ）のフレームに黒色線材の巻取りロール取付部材を取り付け、該巻取りロール取付部材に黒色線材の巻取りロールを装着した上、前記小型無人航空機（小型ＵＡＶ）のフレームの適所に黒色線材を下向きにガイドする黒色線材ガイド部材を取り付け、
果樹等の上部に突出させた状態で、所定間隔で果樹園全体に設置した棒状体上端に取り付けた装着具に、前記黒色線材を下向きにガイドする筒状の黒色線材ガイド部材から黒色線材を引き出して取り付けながら前記小型無人航空機（小型ＵＡＶ）を移動させることにより、前記棒状体の上端に取り付けた装着具を介して各棒状体上に黒色線材を張り巡らせ、前記黒色線材によって害鳥を寄せ付けないようにしたものである。
また、前記黒色線材の巻取りロール取付部材が、小型無人航空機（小型ＵＡＶ）の所定間隔のフレームにそれぞれ取り付けられる取付部を上下逆Ｌ字状の基部に形成され、前記上下逆Ｌ字状の上部先端には太さの異なる筒状体を備えていて、前記巻取りロール取付部材の両側から互いにはめ込むことにより、前記巻取りロール取付部材に黒色線材の巻取りロールを装着したものである。
さらに、前記黒色線材の巻取りロール取付部材が、前記上下逆Ｌ字状の屈曲部にその両端部に差し渡す補強アームを取り付けたものである。
そして、前記小型無人航空機（小型ＵＡＶ）のフレームの適所に黒色線材を下向きにガイドする筒状の黒色線材ガイド部材が、小型無人航空機（小型ＵＡＶ）の所定間隔のフレームにそれぞれ取り付けられる取付部を前記Ｔ字状のアーム部の両側端部に形成され、かつ前記Ｔ字状のアーム部の筒状の側面に黒色線材を挿入する挿通孔が形成されていて、前記巻取りロール取付部材に装着した黒色線材の巻取りロールから引き出した黒色線材を、前記挿通孔から挿通し、筒状の黒色線材ガイド部材の筒状下端から下向きに引き出すようにしたものである。
したがって、小型無人航空機（小型ＵＡＶ）を用いて果樹園全体に非常に効率よく黒色線材を張り巡らせることができ、しかも長期間にわたって害鳥を寄せ付けなくすることができる。
また、黒色線材を下向きに引き出すようにすることで、方向転換時においても糸の向きが下方で一定化され、それがない場合と比較して小型無人航空機（小型ＵＡＶ）に絡む事故がないようにしている。
【図面の簡単な説明】
【００１６】
【図１】本考案に係る害鳥防止線材の配設構造に使用される黒色線材の装着具を示すものであり、（ａ）は装着具の正面図、（ｂ）はその側面図、（ｃ）はその平面図、（ｄ）はその底面図、（ｅ）は装着具にキャップを取り付けようとする側面図である。
【図２】装着具にキャップを取り付けようとする斜視図である。
【図３】黒色線材を果樹園全体に設置した棒状体上端に取り付けた装着具のＵ字溝に取り付けようとする状態の斜視図である。
【図４】黒色線材を棒状体上端に取り付けた装着具のＵ字溝にはめ込んだ状態の斜視図である。
【図５】黒色線材を棒状体上端に取り付けた装着具のＵ字溝にはめ込んでキャップを緩く取り付けた状態の斜視図である。
【図６】黒色線材を棒状体上端に取り付けた装着具のＵ字溝にはめ込んでキャップを強固にはめ込んだ状態の斜視図である。
【図７】黒色線材を小型無人航空機（小型ＵＡＶ）を用いて果樹園全体に設置した棒状体上端に取り付けた装着具のＵ字溝にはめ込もうとする状態の斜視図である。
【図８】小型無人航空機（小型ＵＡＶ）に取り付ける黒色線材の巻取りロール取付部材を示すものであり、（ａ）はその片側部材の正面図、（ｂ）はその右側面図、（ｃ）はその左側面図、（ｄ）はその平面図、（ｅ）はその底面図である。
【図９】その斜視図である。
【図１０】その透視斜視図である。
【図１１】小型無人航空機（小型ＵＡＶ）に取り付ける黒色線材の巻取りロール取付部材を示すものであり、（ａ）はそのもう片側部材の正面図、（ｂ）はその右側面図、（ｃ）はその左側面図、（ｄ）はその平面図、（ｅ）はその底面図である。
【図１２】その斜視図である。
【図１３】その透視斜視図である。
【図１４】一対の巻取りロール取付部材を示すものであり、組み付けようとする状態の側面図である。
【図１５】その斜視図である。
【図１６】一対の巻取りロール取付部材を組み付けた状態の側面図である。
【図１７】その斜視図である。
【図１８】一対の巻取りロール取付部材を巻取りロールを挟んで組み付けようとする状態の側面図である。
【図１９】組付けた状態の側面図である。
【図２０】組付けた状態の斜視図である。
【図２１】黒色線材を下向きにガイドする筒状の黒色線材ガイド部材を示すものであり、（ａ）はその正面図、（ｂ）はその右側面図、（ｃ）はその左側面図、（ｄ）はその平面図、（ｅ）はその底面図である。
【図２２】その斜視図である。
【図２３】その透視斜視図である。
【図２４】小型無人航空機（小型ＵＡＶ）の所定間隔のフレームに一対の巻取りロール取付部材を巻取りロールを挟んで下向きに組み付け、筒状の黒色線材ガイド部材から下向きに引き出した状態の斜視図である。
【図２５】小型無人航空機（小型ＵＡＶ）の所定間隔のフレームに一対の巻取りロール取付部材を巻取りロールを挟んで横向きに組み付け、筒状の黒色線材ガイド部材から下向きに引き出した状態の斜視図である。
【図２６】小型無人航空機（小型ＵＡＶ）の所定間隔のフレームに一対の巻取りロール取付部材を巻取りロールを挟んで横向きに組み付け、筒状の黒色線材ガイド部材から下向きに引き出した状態の小型無人航空機（小型ＵＡＶ）を含めた斜視図である。
【図２７】黒色線材を小型無人航空機（小型ＵＡＶ）を用いて果樹園全体に設置した棒状体上端に取り付けた装着具のＵ字溝にはめ込もうとする状態の斜視図である。
【考案を実施するための形態】
【００１７】
以下、本考案の害鳥防止線材の配設構造を添付図面に示す実施形態に基づき詳しく説明する。
図１ないし図６は、この考案の害鳥防止線材の配設構造に用いられる黒色線材の装着具１１を示すものである。すなわち、図３ないし図６に示す、果樹等の上部に突出させ、所定間隔で果樹園全体に設置した複数の棒状体２１に取り付けられるものである。
すなわち、前記棒状体２１の上端に取り付けた、上面にＵ字溝１２を備えるとともにキャップ１３を取り付けた装着具１１を介して、前記各棒状体２１上に張り巡らせた黒色線材２２を保持している。そしてこの黒色線材２２によって害鳥を寄せ付けないようにしたのである。
【００１８】
より詳しくは、図１（ａ）および（ｂ）のように、前記装着具１１は上面に雄ネジ部１１ａを有するとともに、当該部分の中央部にＵ字溝１２を備えており、該Ｕ字溝１２の下端には幅広部１２ａが形成されている。
また図１（ｃ）、（ｄ）のように、キャップ１３の内部には雌ネジ部１３ａが形成されている。図１（ｅ）および図２は、前記装着具１１にキャップ１３を取り付けようとするものである。
なお、前記装着具１１の下部には、丸穴１５が形成された端部係止板１４が取り付けられている。
【００１９】
またこの考案の害鳥防止線材の配設構造において、前記棒状体２１の上端に取り付けた、上面にＵ字溝１２を備えるとともにキャップ１３を取り付けた装着具１１は、前記キャップ１３を緩く止めることによって前記各棒状体２１上に張り巡らせた黒色線材２２を当初緩く保持しており、前記キャップ１３を最終的に締め付けることによりきっちり固定することができるようになっている。こうすることによって、前記Ｕ字溝１２内を黒色線材２２が自由に行き来し、全体の挿通が終了した段階で黒色線材２２に張力をかけてしっかりと張り、前記キャップ１３を最終的に締め付けることによりきっちり固定するのである。
ちなみに、前記各棒状体２１上に張り巡らせた黒色線材２２は、黒色ナイロンテグスもしくは線径がそれに準ずる金属製線材、例えば黒色ステンレスワイヤ等からなることが望ましい。もちろん、紫外線に強く、耐久性がある素材であれば適宜用いることができる。
【００２０】
図７は、小型無人航空機（小型ＵＡＶ）３１のフレーム３２に黒色線材の巻取りロール取付部材２３ａ，２３ｂを取り付け、該巻取りロール取付部材２３ａ，２３ｂに黒色線材２２の巻取りロール３３を装着した上、前記小型無人航空機（小型ＵＡＶ）３１のフレーム３２の適所に黒色線材２２を下向きにガイドする筒状の黒色線材ガイド部材４１を取り付けた状態を示いている。
そして、図２７のように、果樹等の上部に突出させた状態で、所定間隔で果樹園全体に設置した前記棒状体２１上端に取り付けた装着具１１のＵ字溝１２に、前記黒色線材２２を下向きにガイドする筒状の黒色線材ガイド部材４１から黒色線材２２を引き出して取り付けながら前記小型無人航空機（小型ＵＡＶ）３１を移動させることにより、前記棒状体２１の上端に取り付けた装着具１１を介して各棒状体２１上に黒色線材２２を張り巡らせ、前記黒色線材２２によって害鳥を寄せ付けないようにしたものである。
その際、前記装着具１１の下部に取り付けた端部係止板１４の丸穴１５に、前記黒色線材２２の端部を結び付けておけばよい。したがって、前記小型無人航空機（小型ＵＡＶ）３１を移動させるだけで、非常に迅速かつ簡単に前記黒色線材２２を果樹園全体に張り巡らせることができる。
【００２１】
図８ないし図２０は、前記黒色線材２２の巻取りロール取付部材２３ａ，２３ｂを示すものである。
すなわち、前記黒色線材２２の巻取りロール取付部材２３ａ，２３ｂは、前記小型無人航空機（小型ＵＡＶ）３１の所定間隔のフレーム３２にそれぞれ取り付けられる取付部２４を上下逆Ｌ字状の基部に形成され、前記上下逆Ｌ字状の上部先端には太さの異なる筒状体２５ａ，２５ｂを備えている。
まず片方の巻取りロール取付部材２３ａは、図８ないし図１０に示すように、前記上下逆Ｌ字状の上部先端には小径の筒状体２５ａが形成され、該小径の筒状体２５ａの側面にはその長さ方向に沿って伸びるガイドレール２６が形成されている。２４は、前記小型無人航空機（小型ＵＡＶ）３１の所定間隔のフレーム３２にそれぞれ取り付けられる取付部である。
またもう片方の巻取りロール取付部材２３ｂは、図１１ないし図１３に示すように、前記上下逆Ｌ字状の上部先端には大径の筒状体２５ｂが形成され、該大径の筒状体２５ｂの側面にはその長さ方向に沿って伸びるガイド溝２７が形成されている。２４は、前記小型無人航空機（小型ＵＡＶ）３１の所定間隔のフレーム３２にそれぞれ取り付けられる取付部である。
【００２２】
図１４ないし図１７は、前記黒色線材２２の巻取りロール取付部材２３ａ，２３ｂの組付け状態を示すものである。
すなわち図１４および図１５に示すように、前記巻取りロール取付部材２３ａ，２３ｂを小径の筒状体２５ａおよび大径の筒状体２５ｂを対向させた状態ではめ込むのである。その際、図１６および図１７に示すように、前記ガイドレール２６が前記ガイド溝２７にはめ込まれて前記巻取りロール取付部材２３ａ，２３ｂの両者は強固に連結される。
【００２３】
そして、図１８に示すように、前記黒色線材２２の巻取りロール３３の両側から前記巻取りロール取付部材２３ａ，２３ｂを互いにはめ込むことにより、図１９および図２０に示すように、前記巻取りロール取付部材２３ａ，２３ｂに黒色線材２２の巻取りロール３３を装着したものである。
なお、前記黒色線材２２の巻取りロール取付部材２３ａ，２３ｂは、前記上下逆Ｌ字状の屈曲部にその両端部に差し渡す補強アーム２８を取り付け、その強度を保つようにしてある。
【００２４】
図２１ないし図２３は、前記小型無人航空機（小型ＵＡＶ）３１のフレーム３２の適所に黒色線材２２を下向きにガイドする筒状の黒色線材ガイド部材４１を示すものである。
すなわち、図２１ないし図２３に示すように、筒状の黒色線材ガイド部材４１は、小型無人航空機（小型ＵＡＶ）３１の所定間隔のフレーム３２にそれぞれ取り付けられる円弧状の取付部４３を前記Ｔ字状のアーム部４２の両側端部に形成され、かつ前記Ｔ字状のアーム部４２の中央部分の筒状の側面に黒色線材２２を挿入する挿通孔４４が形成されている。
そして、前記巻取りロール取付部材２３ａ，２３ｂに装着した黒色線材の巻取りロール３３から引き出した黒色線材２２を、前記挿通孔４４から挿通し、筒状の黒色線材ガイド部材４１の筒状下端から下向きに引き出すようにしたものである。
【００２５】
図２４は、小型無人航空機（小型ＵＡＶ）３１の所定間隔の横フレーム３２ａに一対の巻取りロール取付部材２３ａ，２３ｂを巻取りロール３３を挟んで下向きに組み付け、前記巻取りロール３３から引き出した黒色線材２２を筒状の黒色線材ガイド部材４１から下向きに引き出した状態を示すものである。
図２５は、小型無人航空機（小型ＵＡＶ）３１の所定間隔の縦フレーム３２ｂに一対の巻取りロール取付部材２３ａ，２３ｂを巻取りロール３３を挟んで横向きに組み付け、前記巻取りロール３３から引き出した黒色線材２２を筒状の黒色線材ガイド部材４１から下向きに引き出した状態を示すものである。
また図２６は、小型無人航空機（小型ＵＡＶ）３１の全体を示すものであり、小型無人航空機（小型ＵＡＶ）３１の所定間隔のフレーム３２に一対の巻取りロール取付部材２３ａ，２３ｂを巻取りロール３３を挟んで下向きに組み付け、前記巻取りロール３３から引き出した黒色線材２２を筒状の黒色線材ガイド部材４１から下向きに引き出した状態を示すものである。
図において３５は小型無人航空機（小型ＵＡＶ）３１の羽根である。
【００２６】
図２４に示すように、小型無人航空機（小型ＵＡＶ）３１の所定間隔の横フレーム３２ａに一対の巻取りロール取付部材２３ａ，２３ｂを巻取りロール３３を挟んで下向きに組み付けた場合、巻取りロール３３から引き出した黒色線材２２を筒状の黒色線材ガイド部材４１から下向きに引き出すまでの距離を短くすることができ、故障等の少ない害鳥防止線材の配設構造を提供することができる。
また図２５に示すように、小型無人航空機（小型ＵＡＶ）３１の所定間隔の縦フレーム３２ｂに一対の巻取りロール取付部材２３ａ，２３ｂを巻取りロール３３を挟んで横向きに組み付けた場合、小型無人航空機（小型ＵＡＶ）３１の底面から下向きに放射される各種の信号等が巻取りロール３３で邪魔されることがなく、非常に機能性に優れた害鳥防止線材の配設構造を提供することができる。
【産業上の利用可能性】
【００２７】
以上の実施形態をもって説明したとおり、本考案に係る害鳥防止線材の配設構造にあっては、非常に効率よく複数の棒状体の上端に取り付けた装着具上端のＵ字溝に黒色線材を取り付けてゆくことができ、さらに黒色線材を小型無人航空機（小型ＵＡＶ）を用いてきわめて迅速に配設することができるため、果樹園のみならず害鳥の被害に悩む各種の圃場に取り付けて非常に有効である。
【００２８】
また、本考案に係る害鳥防止線材の配設構造にあっては、黒色線材が果樹園等の上端に適宜間隔で配設され、したがって果樹等の周囲に黒色線材が張り巡らされているので、狡賢い烏なども簡単に果樹園等に侵入することができず、その実用的価値は非常に大きいものがある。
【符号の説明】
【００２９】
１１  装着具
１１ａ  雄ネジ部
１２  Ｕ字溝
１２ａ  幅広部
１３  キャップ
１３ａ  雌ネジ部
１４  端部係止板
１５  丸穴
２１  棒状体
２２  黒色線材
２３ａ，２３ｂ  巻取りロール取付部材
２４  取付部
２５ａ，２５ｂ  筒状体
２６  ガイドレール
２７  ガイド溝
２８  補強アーム
３１  小型無人航空機（小型ＵＡＶ）
３２  フレーム
３２ａ  横フレーム
３２ｂ  縦フレーム
３３  巻取りロール
３５  羽根
４１  筒状の黒色線材ガイド部材
４２  Ｔ字状のアーム部
４３  取付部
４４  挿通孔
【図１】
0003229143.tif 000003
【図２】
0003229143.tif 000004
【図３】
0003229143.tif 000005
【図４】
0003229143.tif 000006
【図５】
0003229143.tif 000007
【図６】
0003229143.tif 000008
【図７】
0003229143.tif 000009
【図８】
0003229143.tif 000010
【図９】
0003229143.tif 000011
【図１０】
0003229143.tif 000012
【図１１】
0003229143.tif 000013
【図１２】
0003229143.tif 000014
【図１３】
0003229143.tif 000015
【図１４】
0003229143.tif 000016
【図１５】
0003229143.tif 000017
【図１６】
0003229143.tif 000018
【図１７】
0003229143.tif 000019
【図１８】
0003229143.tif 000020
【図１９】
0003229143.tif 000021
【図２０】
0003229143.tif 000022
【図２１】
0003229143.tif 000023
【図２２】
0003229143.tif 000024
【図２３】
0003229143.tif 000025
【図２４】
0003229143.tif 000026
【図２５】
0003229143.tif 000027
【図２６】
0003229143.tif 000028
【図２７】
0003229143.tif 000029
【手続補正書】
【提出日】令和2年8月27日(2020.8.27)
【手続補正１】
【補正対象書類名】実用新案登録請求の範囲
【補正対象項目名】請求項６
【補正方法】変更
【補正の内容】
【請求項６】
前記黒色線材の巻取りロール取付部材が、前記上下逆Ｌ字状の屈曲部にその両端部に差し渡す補強アームを取り付けたことを特徴とする請求項５に記載の害鳥防止線材の配設構造。